(57)【要約】【課題】映像伝送等のために大きなコストをかけることなく、高品質の合成画像を録画することが可能な講義録画システムを提供すること。【解決手段】講師が使用するプレゼンテーション用の講義用携帯端末１０と、録画用ＰＣ２０とを無線ＬＡＮ等のデータ通信回線で接続し、講義用携帯端末１０の画面の映像と、講義撮影用カメラ２１が撮影した映像とを録画用ＰＣ２０側で合成し、合成画像を録画用ＰＣ２０で録画する。画面共有用通信アプリ１３、２２を各端末に搭載し、講義用携帯端末１０の画面表示のデータを録画用ＰＣ２０に自動転送して録画用ＰＣ２０の画面表示に反映する。映像信号を伝送する必要がないため、信号の劣化による映像合成の不具合を防止できる。画面の更新に伴って更新前後の差分のデータを講義用携帯端末１０から録画用ＰＣ２０に転送する。【選択図】図１
2016144073.tif 000002
【特許請求の範囲】
【請求項１】
事前に作成された資料の内容を可視情報として画面上に表示可能な第１の情報処理装置と、前記第１の情報処理装置の画面表示と関連する講義などの状況を表す映像を撮影するカメラと、前記第１の情報処理装置の画面表示と、前記カメラで撮影された映像とを合成し、合成後の映像を録画する録画機能を搭載した第２の情報処理装置と、を有する講義録画システムであって、
前記第１の情報処理装置の画面表示の全体又はその一部分のデータの内容を、前記第２の情報処理装置における画面表示の全体又はその一部分のデータとして自動的に反映する画面共有機能を、前記第１の情報処理装置及び第２の情報処理装置に搭載し、
前記録画機能は、前記画面共有機能により前記第１の情報処理装置から前記第２の情報処理装置に送信されたデータの内容に基づいて、前記第１の情報処理装置の画面表示と、前記カメラで撮影された映像とを合成し、合成後の映像を録画する、
ことを特徴とする講義録画システム。
【請求項２】
請求項１に記載の講義録画システムであって、
前記第１の情報処理装置側の前記画面共有機能は、前記第１の情報処理装置の画面表示の内容が更新されたことを検知する毎に、更新前後の画面表示の差分に相当する差分データを送信し、
前記第２の情報処理装置側の前記画面共有機能は、前記第１の情報処理装置から前記差分データを受信する毎に、受信した前記差分データに基づいて前記第２の情報処理装置の画面表示を更新する、
ことを特徴とする講義録画システム。
【請求項３】
請求項１に記載の講義録画システムであって、
少なくとも前記第１の情報処理装置を携帯端末として構成し、
前記第１の情報処理装置と前記第２の情報処理装置との間に無線通信回線を形成し、前記無線通信回線により、前記画面共有機能が使用するデータ通信回線を確保する、
ことを特徴とする講義録画システム。
【請求項４】
請求項１に記載の講義録画システムであって、
前記録画機能は、前記第１の情報処理装置の画面表示の中で、事前に指定された可変の特定色と一致するデータが存在する背景領域を自動的に検出し、前記背景領域に限定して映像の合成を実施する、
ことを特徴とする講義録画システム。
【発明の詳細な説明】
【技術分野】
【０００１】
本発明は、講義録画システムに関し、例えば大学内における講義の内容と同等の録画の映像を作成するために利用可能な技術に関する。
【背景技術】
【０００２】
現在、例えば大学においては、反転授業（flip teaching）や遠隔授業が普及している。また、日本オープンオンライン教育推進協議会（JMOOC）のような組織や活動もある。したがって、大学内における講義の内容を、様々な受講者が映像として必要な時に視聴できるように、高品質の録画の映像を作成することが求められている。
【０００３】
このような録画の映像を作成するための従来技術として、特許文献１の講義ビデオ作成システムが知られている。
【０００４】
特許文献１の講義ビデオ作成システムにおいては、講師用コンピュータと録画用コンピュータとを接続し、講師用コンピュータの画面に表示した内容を映像の信号として録画用コンピュータに伝送し、伝送した映像を録画用コンピュータが録画するように構成してある。また、講師用コンピュータは、カメラの撮影画像と、タブレットからの手書き画像と、講義用素材画像とを合成した合成画像データを生成する。また、講師用コンピュータの外部モニタ出力端子に接続したスキャンコンバータにより、合成した映像のデジタル信号から、アナログビデオ信号を生成し、このアナログビデオ信号を録画用コンピュータに伝送している。録画用コンピュータは、入力されるアナログビデオ信号をビデオキャプチャーボードを用いて信号処理し、デジタル情報に変換して更に圧縮符号化（エンコード）を行い、動画ファイルを作成し、このデータを逐次保存する。
【先行技術文献】
【特許文献】
【０００５】
【特許文献１】特許第４５６５２３２号公報
【発明の概要】
【発明が解決しようとする課題】
【０００６】
特許文献１のような従来技術の講義録画システムにおいては、講師用コンピュータと録画用コンピュータとの２台のＰＣ（パーソナルコンピュータ）を用意している。そして、講義全体の合成画像を作成するために、講師用コンピュータ側で、カメラの撮影画像と、タブレットからの手書き画像と、講義用素材画像とを合成している。そして、合成後の画像をアナログビデオ信号に変換して伝送し、録画用コンピュータ側で録画処理を行っている。
【０００７】
一方、例えば講師が持ち歩きながら講義を進行できるように、講師用コンピュータを小型化したり、システム全体の高機能化を実現するような場合には、複数の画像を合成する機能を録画用コンピュータ側に搭載する方が望ましい場合がある。
【０００８】
しかしながら、映像の合成や透過合成を録画用コンピュータ側で行う場合には、映像の劣化の影響により例えば画面上の文字等が読み取りにくくなり、高品質の画像を得るのが困難になる。理由は次の通りである。
【０００９】
部分的に映像を合成したり透過合成する場合には、通常は、背景領域を色で指定する。例えば、Ｒ（赤）、Ｇ（緑）、Ｂ（青）の３原色のカラー映像信号を扱う場合に、（Ｒ：２５５、Ｇ：２５５、Ｂ：２５５）の白色を背景に指定すると、白色の映像領域を抜くことができるので、映像全体の中で合成する領域と合成しない領域とを容易に区別することができる。
【００１０】
しかしながら、例えばキャプチャーカード等を用いて、デジタル映像信号をＶＧＡ規格のようなアナログの映像信号に変換したり、アナログの映像信号をデジタル映像信号に変換したり、データをサンプリングする場合に、映像信号の劣化が発生し、出力側の信号にノイズが混入する。このノイズの影響により、例えば本来は白色の映像領域に（Ｒ：２５０、Ｇ：２５２、Ｂ：２４８）などの違う色が発生し、背景とそれ以外の領域とを区別する際に誤差が生じ、映像の合成や透過合成に問題が発生する。つまり、合成する領域と合成しない領域とが部分的に混在した状態になり、合成後の映像が劣化して画面上の文字等が読み取りにくくなる。
【００１１】
一方、映像や音声をデジタル信号で伝送する通信インタフェースの標準規格として、ＤＶＩ（Digital Visual Interface）やその派生規格であるＨＤＭＩ（High-Definition Multimedia Interface、登録商標）が知られている。ＨＤＭＩを利用すれば、非圧縮でデータを伝送できるし、デジタル／アナログ信号の相互変換も不要であるため、劣化のない状態で高品質の映像信号を伝送できる。
【００１２】
しかし、ＨＤＭＩは基本的に映像等のコンテンツを出力する機器と、映像等を再生するテレビ等の機器とを接続するための規格であり、録画が可能なＰＣ等の機器には、映像出力用のＨＤＭＩ端子が装備されていても、映像入力用のＨＤＭＩ端子は装備されていない。また、ＨＤＭＩの場合はコンテンツの劣化が生じないないために、著作権保護技術の１つであるＨＤＣＰ（High-bandwidth Digital Content Protection system）の採用が義務化される傾向にある。また、仮に、録画用のＰＣに入力用のＨＤＭＩ端子を追加しようとすれば、ＨＤＭＩ及びＨＤＣＰのそれぞれについて、高額なライセンス料等を支払う必要がある。つまり、ＨＤＣＰに対応し、録画用ＰＣの映像入力に対してＨＤＭＩを経由して高品質の映像を伝送するためには非常に大きなコストがかかるのは避けられず、大企業が大量生産するようなシステムでない限り、採用は困難である。
【００１３】
本発明は、上記の状況に鑑みてなされたものであり、映像伝送等のために大きなコストをかけることなく、高品質の合成画像を録画することが可能な講義録画システムを提供することを目的とする。
【課題を解決するための手段】
【００１４】
本発明に係る上記目的は、下記構成により達成される。
（１）  事前に作成された資料の内容を可視情報として画面上に表示可能な第１の情報処理装置と、前記第１の情報処理装置の画面表示と関連する講義などの状況を表す映像を撮影するカメラと、前記第１の情報処理装置の画面表示と、前記カメラで撮影された映像とを合成し、合成後の映像を録画する録画機能を搭載した第２の情報処理装置と、を有する講義録画システムであって、
前記第１の情報処理装置の画面表示の全体又はその一部分のデータの内容を、前記第２の情報処理装置における画面表示の全体又はその一部分のデータとして自動的に反映する画面共有機能を、前記第１の情報処理装置及び第２の情報処理装置に搭載し、
前記録画機能は、前記画面共有機能により前記第１の情報処理装置から前記第２の情報処理装置に送信されたデータの内容に基づいて、前記第１の情報処理装置の画面表示と、前記カメラで撮影された映像とを合成し、合成後の映像を録画する、
ことを特徴とする。
【００１５】
この講義録画システムによれば、前記第１の情報処理装置及び前記第２の情報処理装置にそれぞれ搭載されている画面共有機能が、必要なデータを前記第１の情報処理装置から前記第２の情報処理装置に転送するので、特別に映像信号を伝送しなくても、前記第２の情報処理装置の画面表示の内容に、前記第１の情報処理装置の画面表示の内容が自動的に反映される。映像信号を伝送する必要がないので、映像の劣化が生じることもなく、著作権管理のために高額の費用を負担する必要もない。更に、高価な画像キャプチャーカード等も不要になる。そして、映像の劣化がない前記第２の情報処理装置上の画面表示の映像とカメラで撮影された映像とを前記第２の情報処理装置側で合成するので、合成する複数の映像の領域を確実に区分することができ、高品質の合成画像の録画が可能になる。また、前記第２の情報処理装置側で複数の映像を合成するので、前記第１の情報処理装置を小型化することが可能であり、講師が前記第１の情報処理装置を持ち運びながら講義を進行することも容易になる。
【００１６】
（２）  前記（１）に記載の講義録画システムであって、
前記第１の情報処理装置側の前記画面共有機能は、前記第１の情報処理装置の画面表示の内容が更新されたことを検知する毎に、更新前後の画面表示の差分に相当する差分データを送信し、
前記第２の情報処理装置側の前記画面共有機能は、前記第１の情報処理装置から前記差分データを受信する毎に、受信した前記差分データに基づいて前記第２の情報処理装置の画面表示を更新する、
ことを特徴とする。
【００１７】
この講義録画システムによれば、前記第１の情報処理装置の画面表示の更新に伴って、差分データのみが前記第１の情報処理装置から前記第２の情報処理装置へ伝送される。したがって、例えば静止画の集合を順次に切り替えて前記第１の情報処理装置の画面に表示するような状況では、表示する静止画を切り替える時のみ必要最小限の差分データを伝送することになり、伝送する情報量が減少し、比較的低速の無線通信網を利用してデータを伝送することも可能になる。
【００１８】
（３）  前記（１）に記載の講義録画システムであって、
少なくとも前記第１の情報処理装置を携帯端末として構成し、
前記第１の情報処理装置と前記第２の情報処理装置との間に無線通信回線を形成し、前記無線通信回線により、前記画面共有機能が使用するデータ通信回線を確保する、
ことを特徴とする。
【００１９】
この講義録画システムによれば、無線通信回線を介して前記第１の情報処理装置と前記第２の情報処理装置とを接続するので、例えば講師が前記第１の情報処理装置を携帯し、持ち運びながら講義を進行することも容易になる。
【００２０】
（４）  前記（１）に記載の講義録画システムであって、
前記録画機能は、前記第１の情報処理装置の画面表示の中で、事前に指定された可変の特定色と一致するデータが存在する背景領域を自動的に検出し、前記背景領域に限定して映像の合成を実施する、
ことを特徴とする。
【００２１】
この講義録画システムによれば、例えば講師が所望の色を指定することにより背景領域を決定できるので、合成する複数の映像の領域の特定が容易になる。
【発明の効果】
【００２２】
本発明の講義録画システムによれば、映像伝送等のために大きなコストをかけることなく、高品質の合成画像を録画することが可能になる。
【００２３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２４】
【図１】図１は、本発明の実施形態における講義録画システムの構成例を示すブロック図である。
【図２】図２は、送信側の画面共有用通信アプリの動作を示すフローチャートである。
【図３】図３は、受信側の画面共有用通信アプリの動作を示すフローチャートである。
【図４】図４は、合成映像の具体例を示す正面図である。
【発明を実施するための形態】
【００２５】
本発明の講義録画システムに関する具体的な実施の形態について、各図を参照しながら以下に説明する。
【００２６】
＜システムの構成例＞
本発明の実施形態における講義録画システム１００の構成例を図１に示す。図１に示した講義録画システム１００の代表的な用途としては、大学内で講師の講義を受講する受講者が視聴する環境で得るのと同等の映像や音声の情報を自動的に録画するために利用することが想定される。
【００２７】
図１に示した講義録画システム１００は、主要な構成要素として、講義用携帯端末１０、録画用ＰＣ２０、講義用マイクロホン１４、無線アクセスポイント１５、講義用ディスプレイ１６、講義用スピーカ１７、及び講義撮影用カメラ２１を備えている。
【００２８】
講義用携帯端末１０は、講師が持ち歩きながら操作できるようなタブレット型のパーソナルコンピュータ（ＰＣ）であり、無線ＬＡＮ（ローカルエリアネットワーク）などの無線通信機能を搭載した市販のコンピュータである。
【００２９】
また、講義用携帯端末１０は、講義の際に講師が提示すべき様々な資料の情報を画面に表示する機能を搭載している。具体例としては、事前に作成したスライドのような静止画の集合、あるいは動画のデータが、図１に示すプレゼンテーション用資料データＤＢ（データベース）１１に保存されている。
【００３０】
プレゼンテーション用再生アプリ（アプリケーションソフトウェア）１２は、プレゼンテーション用資料データＤＢ１１上のデータを読み込んで順次に再生し、講義用携帯端末１０の画面上に表示するために必要なプログラムを含んでいる。例えば、マイクロソフト社製のプレゼンテーション用ソフトウェアであるパワーポイント（登録商標）をプレゼンテーション用再生アプリ１２として利用することができる。
【００３１】
また、プレゼンテーション用再生アプリ１２として、例えばマイクロソフト社製のＷｅｂブラウザであるインターネットエクスプローラ（登録商標）を利用すれば、インターネット上に存在する任意のＷｅｂページにアクセスし、その内容を資料として講義用携帯端末１０の画面上に表示することもできる。
【００３２】
講義用ディスプレイ１６は、講義用携帯端末１０の映像出力用の端子と接続され、講義用携帯端末１０の画面に表示された内容と同じ可視情報を大型の画面上に表示することができる。また、講義用ディスプレイ１６としてプロジェクターを利用することにより、大型のスクリーン上に映像を投影することもできる。
【００３３】
講義用マイクロホン１４は、講義を行う講師の発話する音声を集音して音声信号を出力することができる。この音声信号は、講義用スピーカ１７の内部で増幅され、多数の視聴者に聞こえるような大きさの音響として講義用スピーカ１７から出力される。また、この音声信号は録画用ＰＣ２０にも入力される。
【００３４】
講義撮影用カメラ２１は、主として講義を行う講師を被写体として講義の様子を撮影するために利用される。講義撮影用カメラ２１は、通常は三脚等で支持して撮影範囲を固定した状態で撮影する。勿論、講義撮影用カメラ２１を手動で操作して撮影方向や撮影範囲を変更できるようにしても良い。また、互いに撮影範囲が異なる複数台のカメラを用意してこれらを選択的に切り替えできるように構成しても良い。
【００３５】
録画用ＰＣ２０は、録画用の大容量の記憶装置を搭載したパーソナルコンピュータであり、例えば一般的に市販されているノート型パソコンを録画用ＰＣ２０として利用することができる。録画用ＰＣ２０は、有線ＬＡＮの通信インタフェースを経由して、無線アクセスポイント１５と接続されている。録画用ＰＣ２０と無線アクセスポイント１５との間を無線ＬＡＮで接続しても良い。この無線アクセスポイント１５は、講義用携帯端末１０との間で無線接続されている。したがって、講義用携帯端末１０と録画用ＰＣ２０との間では、無線アクセスポイント１５の無線ＬＡＮを経由してデータ通信回線を確保することができる。
【００３６】
図１に示した録画用ＰＣ２０は、録画用アプリ２３を搭載している。この録画用アプリ２３は、複数の映像を合成した合成画像を作成すると共に、この合成画像を動画として圧縮符号化した後、音声情報と共に録画データとして録画データ用ＤＢ２４上に保存する機能を有している。
【００３７】
図１に示すように、講義用携帯端末１０は画面共有用通信アプリ１３を搭載し、録画用ＰＣ２０は画面共有用通信アプリ２２を搭載している。画面共有用通信アプリ１３及び２２は、２台のＰＣの画面全体又は画面上の一部分のウインドウの表示データを共有するための機能を備えている。
【００３８】
図１に示した講義録画システム１００においては、講義用携帯端末１０の表示画面における画面全体又はその一部分の表示データを、録画用ＰＣ２０の表示画面における画面全体又はその一部分の表示データとして自動的に反映させる機能を画面共有用通信アプリ１３及び２２が果たす。つまり、共有対象の画面表示について、その表示データを、講義用携帯端末１０から無線アクセスポイント１５を経由して録画用ＰＣ２０に転送する。そして、講義用携帯端末１０上の画面表示が更新された場合には、転送されるデータに基づいて、録画用ＰＣ２０上の画面表示も自動的に更新する。したがって、録画用ＰＣ２０上の画面表示は、講義用携帯端末１０上の画面表示と同期した状態に制御される。
【００３９】
このように、画面上に表示するデータを講義用携帯端末１０と録画用ＰＣ２０との間で共有するので、映像信号を講義用携帯端末１０から録画用ＰＣ２０に伝送しなくても、録画に必要な映像のデータは、データ通信回線を経由して録画用ＰＣ２０側で自動的に取得することができる。映像信号を伝送して処理する必要がないので、信号の劣化が生じる心配もないし、著作権管理の問題も生じない。
【００４０】
画面共有用通信アプリ１３及び２２として利用可能なソフトウェアの具体例としては、マイクロソフト社が提供する「スカイプ(Skype)」（登録商標）がある。スカイプは、Ｐ２Ｐ技術を応用した音声通話ソフトであり、複数ユーザの端末間で画面を共有する機能も搭載している。つまり、このようなソフトウェアを講義用携帯端末１０及び録画用ＰＣ２０の双方に搭載することにより、講義用携帯端末１０の画面表示の内容を録画用ＰＣ２０の画面表示にも反映させることが可能になる。図１に示した講義録画システム１００においては、講義用携帯端末１０と録画用ＰＣ２０との間が無線アクセスポイント１５を介して通信できる状態で接続されているので、このデータ通信回線を経由して、画面表示を共有するために必要なデータを転送することができる。
【００４１】
録画用ＰＣ２０上の録画用アプリ２３は、講義用携帯端末１０の画面表示を反映した録画用ＰＣ２０の画面表示の映像と、講義撮影用カメラ２１が撮影して得られた映像とを合成又は透過合成して、録画対象の映像を作成する。
【００４２】
例えば、講義用携帯端末１０の画面表示（スライド等の資料）を第１映像Ｖ１とし、講義撮影用カメラ２１の撮影で得られた第２映像Ｖ２とを透過合成する場合には、第１映像Ｖ１を背景領域Ｖ１ｂとそれ以外の領域Ｖ１ａとに区分し、Ｖ１とＶ２とが重なる領域で、背景領域Ｖ１ｂを透過して下側に重なった第２映像Ｖ２が視認でき、領域Ｖ１ａでは第２映像Ｖ２を第１映像Ｖ１が覆い隠すように合成映像Ｖ３を合成する（図４参照）。これにより、例えば図４のように第１映像Ｖ１に細かい文字などの情報が含まれている場合であっても、文字情報を読み取りやすい合成映像が得られる。第２映像Ｖ２については、講師の人物像などが主体であるため、部分的に第１映像Ｖ１で覆い隠されても特に問題は生じない。
【００４３】
背景領域Ｖ１ｂとそれ以外の領域Ｖ１ａとの区分については、事前に講師が指定した任意の背景色により特定する。例えば、（Ｒ：２５５、Ｇ：２５５、Ｂ：２５５）の白色が背景色に指定された場合には、第１映像Ｖ１の中で白色の各画素データの領域を背景領域Ｖ１ｂとし、白色以外の各画素データを領域Ｖ１ａとして区分してから、第１映像Ｖ１と第２映像Ｖ２とを合成し、合成映像Ｖ３を生成する。そして、録画用アプリ２３は、時間の経過に伴って逐次変化する合成映像Ｖ３のデータを圧縮符号化して動画データを作成し、これを録画データ用ＤＢ２４に保存する。
【００４４】
なお、第２映像Ｖ２を黒板及び講師の映像とし、文字情報やグラフなど講義資料を表す第１映像Ｖ１の情報を、第２映像Ｖ２のうち黒板の映像の部分に重ねることにより、第１映像Ｖ１の情報があたかも黒板に書き込まれ、その黒板を利用して講師が講義を行っているような合成映像を得ることができる。
【００４５】
＜画面共有用通信アプリの動作＞
送信側の画面共有用通信アプリ１３の動作の概要を図２に示す。また、受信側の画面共有用通信アプリ２２の動作の概要を図３に示す。
【００４６】
＜送信側の動作＞
講義用携帯端末１０上で画面共有用通信アプリ１３が起動し、画面共有動作を開始すると、講義用携帯端末１０の動作はステップＳ１１からＳ１２に進む。そして、Ｓ１２では送信元である講義用携帯端末１０の画面表示の内容に変化があったか否かを講義用携帯端末１０内のマイクロプロセッサ（ＣＰＵ）が識別する。なお、例えばプレゼンテーション用再生アプリ１２のウインドウだけを共有する場合には、画面上の該当するウインドウの領域のみについてＳ１２で更新の有無を識別する。
【００４７】
次のステップＳ１３では、講義用携帯端末１０内のマイクロプロセッサは、Ｓ１２で画面の変更有を検出した時の前後での、画面表示内容の違いに相当する差分データを作成する。例えば、画面上のプレゼンテーション用再生アプリ１２のウインドウ内に、新たな可視情報を追加表示した場合には、追加した可視情報に相当するデータのみが差分データとして抽出される。
【００４８】
ステップＳ１４では、講義用携帯端末１０内のマイクロプロセッサは、Ｓ１３で作成した差分データを、データ通信回線、すなわち無線アクセスポイント１５を経由して、録画用ＰＣ２０に送信する。つまり、図１に示す画面共有データＤ１１及びＤ１２が差分データに相当する。
【００４９】
＜受信側の動作＞
一方、録画用ＰＣ２０上で画面共有用通信アプリ２２が起動し、画面共有動作を開始すると、録画用ＰＣ２０の動作はステップＳ２１からＳ２２に進む。そして、Ｓ２２では送信元である講義用携帯端末１０からのデータを受信したか否かを録画用ＰＣ２０内のマイクロプロセッサ（ＣＰＵ）が識別する。
【００５０】
次のステップＳ２３では、録画用ＰＣ２０内のマイクロプロセッサは、Ｓ２２で受信した差分データ、つまり図１に示す画面共有データＤ１２を用いて、録画用ＰＣ２０の表示画面の表示内容を更新する。実際には、録画用ＰＣ２０の画面に表示すべきデータを保持している記憶領域のデータを、講義用携帯端末１０側の画面表示内容と一致するような内容に更新する。
【００５１】
画面共有用通信アプリ１３及び２２の実行により、図２及び図３に示した動作が行われるので、講義用携帯端末１０から録画用ＰＣ２０に伝送される画面共有データＤ１１及びＤ１２については、講義用携帯端末１０の画面表示の内容に変化が生じた時のみ出力される。また、画面共有データＤ１１及びＤ１２は画面更新の前後の違いに相当する最小限の差分データであるため、画面共有のために伝送されるデータの量は非常に少ない。したがって、講義用携帯端末１０と録画用ＰＣ２０との間でデータを転送するための通信回線については、比較的低速の無線通信回線を利用することも可能である。
【００５２】
＜講義録画システム１００の利点＞
図１に示した講義録画システム１００においては、複数の映像の合成処理を録画用ＰＣ２０側で行っている。映像の合成の際にもしも劣化によるノイズが含まれていると、映像中の背景領域とそれ以外の領域との区分が困難になり、合成画像上で文字等の判読が困難になる場合がある。しかし、講義録画システム１００においては講義用携帯端末１０と録画用ＰＣ２０との間で画面表示データの共有を行っているため、これらの間で映像信号の伝送を行う必要がない。したがって、映像信号の変換に伴う劣化の心配もなく、映像中の背景とそれ以外の領域とを確実に切り分けて高品質の合成画像を生成できる。更に、著作権管理の対応も不要になり、高価な画像キャプチャーボードを搭載する必要もない。また、合成画像を作成し録画するには、一般にスタジオなどの大掛かりな設備を必要とするが、本発明に係る講義録画システム１００は、講師により講義用携帯端末１０、録画用ＰＣ２０及び講義撮影用カメラ２１が設置・設定されればよく、合成画像を利用した映像を録画するシステムを手軽に構築することができる。
【００５３】
＜変更の可能性＞
図１に示した講義録画システム１００は比較的少数の構成要素で構成してあるが、使用する環境に応じて、或いは必要に応じて様々な要素を追加したり、様々な変更を加えることが考えられる。
【００５４】
例えば、講義用携帯端末１０と録画用ＰＣ２０とを接続するＬＡＮ上にルータを配置することにより、講義用携帯端末１０及び録画用ＰＣ２０を他の様々な端末との間で相互接続することが可能になる。これにより、例えば録画をしながら遠隔授業を行うことも可能になるし、遠隔地の学生が自分の端末から所定のネットワークを経由して講師の操作する講義用携帯端末１０に書き込みを行うことも可能になる。また、録画用ＰＣ２０の合成した合成画像を遠隔地の学生がネットワークを経由して取得することも可能になる。
【００５５】
講義録画システム１００の用途については、大学内の講義に限らず様々な用途で利用できる。例えば、企業において会議やプレゼンテーションの様子を録画したり、販売促進用の映像を作成し録画したり、様々な講演会等の映像を録画する際にも利用可能である。
【００５６】
また、録画用ＰＣ２０の画面に合成画像を表示させることにより、講義用携帯端末１０を操作している講師は、録画用ＰＣ２０の傍らで実際の合成画像を確認しながら、つまり合成画像に自分の映像と講義資料とがどのように映っているかを確認しながら講義を進めることが可能となる。
【００５７】
＜補足説明＞
上述の講義録画システム１００に関する特徴的な事項について、以下に纏めて列記する。
［１］  事前に作成された資料の内容を可視情報として画面上に表示可能な第１の情報処理装置（講義用携帯端末１０）と、前記第１の情報処理装置の画面表示と関連する講義などの状況を表す映像を撮影するカメラ（２１）と、前記第１の情報処理装置の画面表示と、前記カメラで撮影された映像とを合成し、合成後の映像を録画する録画機能（２３）を搭載した第２の情報処理装置（録画用ＰＣ２０）と、を有する講義録画システム（１００）であって、
前記第１の情報処理装置の画面表示の全体又はその一部分のデータの内容を、前記第２の情報処理装置における画面表示の全体又はその一部分のデータとして自動的に反映する画面共有機能（１３、２２）を、前記第１の情報処理装置及び第２の情報処理装置に搭載し、
前記録画機能（２３）は、前記画面共有機能により前記第１の情報処理装置から前記第２の情報処理装置に送信されたデータ（Ｄ１１、Ｄ１２）の内容に基づいて、前記第１の情報処理装置の画面表示と、前記カメラで撮影された映像とを合成し、合成後の映像を録画する、
ことを特徴とする講義録画システム。
【００５８】
［２］  上記［１］に記載の講義録画システムであって、
前記第１の情報処理装置側の前記画面共有機能は、前記第１の情報処理装置の画面表示の内容が更新されたことを検知する毎に、更新前後の画面表示の差分に相当する差分データを送信し（Ｓ１２〜Ｓ１４）、
前記第２の情報処理装置側の前記画面共有機能は、前記第１の情報処理装置から前記差分データを受信する毎に、受信した前記差分データに基づいて前記第２の情報処理装置の画面表示を更新する（Ｓ２２、Ｓ２３）、
ことを特徴とする講義録画システム。
【００５９】
［３］  上記［１］に記載の講義録画システムであって、
少なくとも前記第１の情報処理装置を携帯端末（１０）として構成し、
前記第１の情報処理装置と前記第２の情報処理装置との間に無線通信回線（無線アクセスポイント１５）を形成し、前記無線通信回線により、前記画面共有機能が使用するデータ通信回線を確保する、
ことを特徴とする講義録画システム。
【００６０】
［４］  上記［１］に記載の講義録画システムであって、
前記録画機能（２３）は、前記第１の情報処理装置の画面表示の中で、事前に指定された可変の特定色と一致するデータが存在する背景領域を自動的に検出し、前記背景領域に限定して映像の合成を実施する、
ことを特徴とする講義録画システム。
【符号の説明】
【００６１】
１０  講義用携帯端末
１１  プレゼンテーション用資料データＤＢ
１２  プレゼンテーション用再生アプリ
１３  画面共有用通信アプリ
１４  講義用マイクロホン
１５  無線アクセスポイント
１６  講義用ディスプレイ
１７  講義用スピーカ
２０  録画用ＰＣ
２１  講義撮影用カメラ
２２  画面共有用通信アプリ
２３  録画用アプリ
２４  録画データ用ＤＢ
１００  講義録画システム
Ｄ１１，Ｄ１２  画面共有データ
【図１】
2016144073.tif 000003
【図２】
2016144073.tif 000004
【図３】
2016144073.tif 000005
【図４】
2016144073.tif 000006